(57)【要約】【課題】  １次検証データ付き画像ファイルの画像データが撮像装置で生成されたものであるか否かを確実に確認可能なシステムを簡単な構成で実現できるようにする。【解決手段】  画像データを生成する撮像部１４と、前記撮像部１４により生成された画像データと、第１の情報とを用いて前記画像データの第１の検証データを生成するとともに、前記画像データと第１の検証データを外部記録媒体に記録する制御部１１と、前記外部記録媒体を挿入するスロット１７と、前記画像データの改変を検証するための画像検証装置を挿入するスロット１８とを備え、前記スロット１８に挿入された画像検証装置との間でデータ転送を行い、前記撮像部１４により生成された画像データが改変されているか否かを検出できるようにする。【選択図】  図３
2005348249.tif 000002
【特許請求の範囲】
【請求項１】
画像データを生成する画像データ生成手段と、前記画像データ生成手段により生成された画像データと、第１の情報とを用いて前記画像データの第１の検証データを生成する第１の検証データ生成手段と、前記画像データと第１の検証データを外部記録媒体に記録する第１の検証データ記録手段と、前記外部記録媒体を挿入する第１のスロットと、前記画像データの改変を検証するための画像検証装置を挿入する第２のスロットとを備えた撮像装置であって、
前記第２のスロットに挿入された画像検証装置との間でデータ転送を行い、前記画像データ生成手段により生成された画像データが改変されているか否かを検出することを特徴とする撮像装置。
【請求項２】
前記第１の検証データ生成手段は、ハッシュ関数と所定の演算とを用いて前記第１の検証データを生成することを特徴とする請求項１に記載の撮像装置。
【請求項３】
前記第１の情報は、前記画像データを生成した装置を特定するＩＤ情報であることを特徴とする請求項１または２に記載の撮像装置。
【請求項４】
撮像装置により生成された画像データ及び第１の検証データを用いて、前記画像データが改変されているか否かを検証するデータ改変検証手段と、
前記データ改変検証手段による検証の結果、前記画像データが改変されていない場合、前記画像データと第２の情報とを用いて前記画像データの第２の検証データを生成する第２の検証データ生成手段とを有する画像検証装置であって、
装置本体の形状が、前記撮像装置の第２のスロットに挿入して動作可能なカード形状に構成され、前記第２のスロットに挿入されると、前記撮像装置との間でデータ転送を行い、前記画像データが改変されているか否かを検出することを特徴とする画像検証装置。
【請求項５】
前記第２の検証データ生成手段は、ハッシュ関数と公開鍵暗号とを用いて前記第２の検証データを生成することを特徴とする請求項４に記載の画像検証装置。
【請求項６】
前記データ改変検証手段による検証の結果、前記画像データが改変されている場合には、前記第２の検証データの生成を禁止する第２の検証データ生成禁止手段を有することを特徴とする請求項４または５に記載の画像検証装置。
【請求項７】
前記第２の情報は、公開鍵暗号方式の秘密鍵であることを特徴とする請求項４〜６の何れか１項に記載の画像検証装置。
【請求項８】
前記第２の検証データ生成手段は、前記撮像装置から１次検証データ付き画像ファイルが転送された場合に、ユーザの操作なく自動的に第２の検証データを生成し、前記転送された１次検証データ付き画像ファイルに付加し、これを前記撮像装置に転送することを特徴とする請求項４〜７の何れか１項に記載の画像検証装置。
【請求項９】
前記装置本体の形状は、カード型であることを特徴とする請求項４〜８の何れか１項に記載の画像検証装置。
【請求項１０】
前記請求項１〜３の何れか１項に記載の撮像装置と、請求項４〜９の何れか１項に記載の画像検証装置とを有することを特徴とする画像検証システム。
【請求項１１】
前記画像検証装置は、前記第１の情報と前記第２の情報との対応関係を記憶したメモリを備えることを特徴とする請求項１０に記載の画像検証システム。
【請求項１２】
画像データを生成する画像データ生成手段と、前記画像データ生成手段により生成された画像データと、第１の情報とを用いて前記画像データの第１の検証データを生成する第１の検証データ生成手段と、前記画像データと第１の検証データを外部記録媒体に記録する第１の検証データ記録手段と、前記外部記録媒体を挿入する第１のスロットと、前記画像データの改変を検証するための画像検証装置を挿入する第２のスロットとを有する撮像装置における画像生成方法であって、
前記第２のスロットに挿入された画像検証装置との間でデータ転送を行い、前記画像データ生成手段により生成された画像データが改変されているか否かを検出する改変検出工程を有することを特徴とする画像生成方法。
【請求項１３】
撮像装置により生成された画像データ及び第１の検証データを用いて、前記画像データが改変されているか否かを検証するデータ改変検証手段と、前記データ改変検証手段による検証の結果、前記画像データが改変されていない場合、前記画像データと第２の情報とを用いて前記画像データの第２の検証データを生成する第２の検証データ生成手段とを有する画像検証装置における画像検証方法であって、
前記撮像装置の第２のスロットに挿入された際に、前記撮像装置との間でデータ転送を行い、前記撮像装置により生成された画像データが改変されているか否かを検証するデータ改変検証工程を有することを特徴とする画像検証方法。
【請求項１４】
画像データを生成する画像データ生成手段と、前記画像データ生成手段により生成された画像データと、第１の情報とを用いて前記画像データの第１の検証データを生成する第１の検証データ生成手段と、前記画像データと第１の検証データを外部記録媒体に記録する第１の検証データ記録手段と、前記外部記録媒体を挿入する第１のスロットと、前記画像データの改変を検証するための画像検証装置を挿入する第２のスロットを備えた撮像装置における画像生成方法をコンピュータに実行させるプログラムであって、
前記第２のスロットに挿入された画像検証装置との間でデータ転送を行い、前記画像データ生成手段により生成された画像データが改変されているか否かを検出する改変検出工程をコンピュータに実行させることを特徴とするコンピュータプログラム。
【請求項１５】
撮像装置により生成された画像データ及び第１の検証データを用いて、前記画像データが改変されているか否かを検証するデータ改変検証手段と、前記データ改変検証手段による検証の結果、前記画像データが改変されていない場合、前記画像データと第２の情報とを用いて前記画像データの第２の検証データを生成する第２の検証データ生成手段とを有する画像検証装置における画像検証方法をコンピュータに実行させるプログラムであって、
前記撮像装置の第２のスロットに挿入された際に、前記撮像装置との間でデータ転送を行い、前記撮像装置により生成された画像データが改変されているか否かを検証するデータ改変検証工程をコンピュータに実行させることを特徴とするコンピュータプログラム。
【請求項１６】
前記請求項１４または１５に記載のコンピュータプログラムを記録したことを特徴とするコンピュータ読み取り可能な記録媒体。
【発明の詳細な説明】
【技術分野】
【０００１】
本発明は、画像データの改変を検出する撮像装置、画像検証装置及び画像検証システムに関する。
【背景技術】
【０００２】
近年、被写体の光学像をデジタル化して記憶するデジタルカメラが実用化されている。デジタルカメラで生成された画像データは、パーソナルコンピュータに取り込むことが簡単にできる反面、パーソナルコンピュータ上で簡単に改変することができるという問題があった。
【０００３】
そのため、デジタルカメラで生成された画像データの信頼性は、銀塩写真よりも低く、証拠能力が乏しいという問題があった。そこで、近年、デジタルカメラで生成された画像データにデジタル署名を付加する機能を備えたデジタルカメラシステムが提案されている。
【０００４】
一方で、デジタル署名の生成には、通常、ＲＳＡ暗号などの公開鍵暗号方式が利用されるが、ＲＳＡ暗号などの公開鍵暗号方式は、べき乗演算や剰余演算が必要であるために高速な処理が難しく、ＤＥＳ（Data Encryption Standard）などの共通鍵暗号方式に比べて数百倍から数千倍の処理時間が必要である。
【０００５】
そのため、従来のデジタルカメラが有している限られた演算リソースでは、デジタル署名の生成が大変難しいという問題があった。この問題点に対しては、デジタルカメラの演算リソースの性能を大幅に向上させ、デジタル署名の生成を容易に行えるようにする方法もあるが、このような方法ではデジタルカメラ本体にかかるコストが非常に増大してしまうため好ましくない。
【０００６】
そこで、前述の問題点を解決するために、デジタルカメラなどの撮像装置にかかるコストの増大を防ぎつつ、撮像装置で生成された画像データが改変されているか否かを確実に検出することのできる画像検証システムが、例えば、特許文献１に提案されている。
【０００７】
【特許文献１】特開２００２−２４４９２４号公報
【発明の開示】
【発明が解決しようとする課題】
【０００８】
特許文献１で提案されている画像検証システムは、画像検証装置を撮像装置とを分離して構成し、前記画像検証装置が、前記撮像装置で生成された画像データが改変されているか否かを確実に検出し、１次検証データ付き画像ファイルの画像データが撮像装置で生成されたものであるか否かを確認するようにしている。
【０００９】
さらに、１次検証データ付き画像ファイルの完全性が確認された場合、そのファイルを２次検証データ（デジタル署名）付き画像ファイルに変換することもできるという優れた利点を有している。ところが、この画像検証システムは、画像検証装置にパーソナルコンピュータなどを使う必要があるため、大掛かりなシステムになるという問題点があった。
【００１０】
本発明は前述の問題点に鑑みてなされたもので、１次検証データ付き画像ファイルの画像データが撮像装置で生成されたものであるか否かの確認を、簡単なシステム構成で実現できるようにすることを目的とする。
【課題を解決するための手段】
【００１１】
本発明の撮像装置は、画像データを生成する画像データ生成手段と、前記画像データ生成手段により生成された画像データと、第１の情報とを用いて前記画像データの第１の検証データを生成する第１の検証データ生成手段と、前記画像データと第１の検証データを外部記録媒体に記録する第１の検証データ記録手段と、前記外部記録媒体を挿入する第１のスロットと、前記画像データの改変を検証するための画像検証装置を挿入する第２のスロットとを備えた撮像装置であって、前記第２のスロットに挿入された画像検証装置との間でデータ転送を行い、前記画像データ生成手段により生成された画像データが改変されているか否かを検出することを特徴としている。
【００１２】
本発明の画像検証装置は、撮像装置により生成された画像データ及び第１の検証データを用いて、前記画像データが改変されているか否かを検証するデータ改変検証手段と、前記データ改変検証手段による検証の結果、前記画像データが改変されていない場合、前記画像データと第２の情報とを用いて前記画像データの第２の検証データを生成する第２の検証データ生成手段とを有する画像検証装置であって、装置本体の形状が、前記撮像装置の第２のスロットに挿入して動作可能なカード形状に構成され、前記第２のスロットに挿入されると、前記撮像装置との間でデータ転送を行い、前記画像データが改変されているか否かを検出することを特徴としている。
【００１３】
本発明の画像生成方法は、画像データを生成する画像データ生成手段と、前記画像データ生成手段により生成された画像データと、第１の情報とを用いて前記画像データの第１の検証データを生成する第１の検証データ生成手段と、前記画像データと第１の検証データを外部記録媒体に記録する第１の検証データ記録手段と、前記外部記録媒体を挿入する第１のスロットと、前記画像データの改変を検証するための画像検証装置を挿入する第２のスロットとを有する撮像装置における画像生成方法であって、
前記第２のスロットに挿入された画像検証装置との間でデータ転送を行い、前記画像データ生成手段により生成された画像データが改変されているか否かを検出する改変検出工程を有することを特徴としている。
【００１４】
本発明の画像検証方法は、撮像装置により生成された画像データ及び第１の検証データを用いて、前記画像データが改変されているか否かを検証するデータ改変検証手段と、前記データ改変検証手段による検証の結果、前記画像データが改変されていない場合、前記画像データと第２の情報とを用いて前記画像データの第２の検証データを生成する第２の検証データ生成手段とを有する画像検証装置における画像検証方法であって、前記撮像装置の第２のスロットに挿入された際に、前記撮像装置との間でデータ転送を行い、前記撮像装置により生成された画像データが改変されているか否かを検証するデータ改変検証工程を有することを特徴としている。
【００１５】
本発明のコンピュータプログラムは、画像データを生成する画像データ生成手段と、前記画像データ生成手段により生成された画像データと、第１の情報とを用いて前記画像データの第１の検証データを生成する第１の検証データ生成手段と、前記画像データと第１の検証データを外部記録媒体に記録する第１の検証データ記録手段と、前記外部記録媒体を挿入する第１のスロットと、前記画像データの改変を検証するための画像検証装置を挿入する第２のスロットを備えた撮像装置における画像生成方法をコンピュータに実行させるプログラムであって、前記第２のスロットに挿入された画像検証装置との間でデータ転送を行い、前記画像データ生成手段により生成された画像データが改変されているか否かを検出する改変検出工程をコンピュータに実行させることを特徴としている。
また、本発明のコンピュータプログラムの他の特徴とするところは、撮像装置により生成された画像データ及び第１の検証データを用いて、前記画像データが改変されているか否かを検証するデータ改変検証手段と、前記データ改変検証手段による検証の結果、前記画像データが改変されていない場合、前記画像データと第２の情報とを用いて前記画像データの第２の検証データを生成する第２の検証データ生成手段とを有する画像検証装置における画像検証方法をコンピュータに実行させるプログラムであって、前記撮像装置の第２のスロットに挿入された際に、前記撮像装置との間でデータ転送を行い、前記撮像装置により生成された画像データが改変されているか否かを検証するデータ改変検証工程をコンピュータに実行させることを特徴としている。
【００１６】
本発明の記録媒体は、前記に記載のコンピュータプログラムを記録したことを特徴としている。
【発明の効果】
【００１７】
本発明によれば、画像検証装置を撮像装置内に取り込み、前記画像検証装置と前記撮像装置との間でデータ転送を行って、前記撮像装置で生成された画像データが改変されているか否かを確実に検出できるようにしたので、パーソナルコンピュータなどを使用することなく、前記撮像装置により生成された画像データが改変されているか否かを検証するシステムを構築することが可能となり、デジタルカメラなどの撮像装置にかかるコストの増大を防ぎつつ、画像データの改変を確実に検出することができる。
【発明を実施するための最良の形態】
【００１８】
以下、本発明に好適な実施の形態について図面を用いて詳細に説明する。
本実施の形態における画像検証システムは、撮像装置１０と画像検証装置２０とを有する。
図１は、撮像装置１０の主要な構成について説明するブロック図である。図１において、各ブロックは機能ごとに分けられた構成要素である。
【００１９】
図１において、撮像装置１０は、撮影画像の画像データと、その画像データの完全性を検証するための１次検証データとを有する１次検証データ付き画像ファイルを生成する撮像装置である。本実施の形態では、撮像装置１０がデジタルカメラである場合を説明するが、撮像装置１０はデジタルカメラに限定されるものではない。撮像装置１０は、デジタルビデオカメラであっても、カメラ付き携帯電話であってもよい。
【００２０】
撮像装置１０は、２つのスロットを有する。第１のスロットであるスロット１７は、メモリカード等の記憶媒体１３が挿入されるスロットである。メモリカードは、半導体メモリを内蔵した記憶媒体である。また、第２のスロットであるスロット１８は、セキュア機能とプログラム実行機能を有する画像検証装置２０が挿入されるスロットである。本実施の形態では、画像検証装置２０がＩＣカードである場合を説明するが、画像検証装置２０がＩＣカードに限定されるものではない。また、本実施の形態では、記憶媒体１３及び画像検証装置２０の形状がカード型である場合を説明するが、記憶媒体１３及び画像検証装置２０の形状はこのような形状に限定されるものではない。
【００２１】
画像検証装置２０は、撮像装置１０で生成された１次検証データ付き画像ファイル内の画像データの完全性を検証することにより、その画像データが改変されているか否かを検出する画像検証装置である。
【００２２】
また、画像検証装置２０は、画像データの完全性が確認された（画像データが改変されていない）場合、その画像データの完全性及び正当性を検証するための２次検証データ（デジタル署名）を生成し、１次検証データ付き画像ファイルを２次検証データ付き画像ファイルに変換する。
【００２３】
また、図１において、１１は、作業用メモリとマイクロコンピュータとを備えた制御部である。１４は、ＣＣＤ（電荷結合素子）などの光学センサーを用いて画像を撮影し、その撮影画像のデジタル画像データを生成する撮像部である。
【００２４】
１２は、プログラムメモリである。本実施の形態において、プログラムメモリ１２は、１次検証データ付き画像ファイルを生成する機能を制御するプログラムを記憶している。また、プログラムメモリ１２は、１次検証データの生成に必要な共通情報Ｋｃ（共通鍵暗号方式の暗号鍵に相当）と、撮像装置１０の固有ＩＤ（製造番号、シリアル番号など）とを記憶している。プログラムメモリ１２内の情報は、外部に漏れないように秘密に管理するものとする。１６は、ユ−ザからの様々な指示（撮影の開始など）を受け付ける操作部である。１５は、図１の各構成要素を相互に接続する内部バスである。
【００２５】
次に、画像検証装置２０の構成について説明する。
図２は、画像検証装置２０の主要な構成について説明するブロック図である。図２において、各ブロックは機能ごとに分けられた構成要素である。
２１は、作業用メモリとマイクロコンピュータとを備えた制御部である。２４は、撮像装置１０とコマンド／ステータスデータ、あるいは、画像ファイルのデータ転送を行うインタフェース部であり、画像検証装置２０を撮像装置１０のスロット１８に挿入することにより、スロット１８内のインタフェース部と直結される。
【００２６】
２３は、１次検証データ付き画像ファイル及び２次検証データ付き画像ファイルを記憶する不揮発性メモリである。２２は、プログラムメモリである。このプログラムメモリ２２は、１次検証データ付き画像ファイルの完全性を検証する機能と、２次検証データ付き画像ファイルを生成する機能とを制御するプログラムを記憶している。
【００２７】
また、プログラムメモリ２２は、複数の撮像装置の固有ＩＤと、各固有ＩＤに対応する共通情報Ｋｃ（共通鍵暗号方式の復号鍵に相当）と、各固有ＩＤに対応する秘密情報Ｋｓ（公開鍵暗号方式の秘密鍵に相当）とを登録した鍵管理テーブルＴ１を記憶している。鍵管理テーブルＴ１の一例を図６に示す。但し、プログラムメモリ２２内の情報は、外部に漏れないように秘密に管理するものとする。制御部２１〜インタフェース部２４は内部バス２５を介して相互に接続されている。
【００２８】
次に、画像検証システムの処理手順について図３乃至図５を用いて説明する。
最初に、撮像装置１０の処理手順について説明する。なお、図４に示す処理手順は、プログラムメモリ１２に格納されているプログラムに従って実行される。また、図４に示す処理手順は、１枚の画像データを撮像するごとに実行される。
【００２９】
最初のステップＳ４１において、撮像部１４は、ユーザの指示に従って画像を撮影し、その撮影画像のデジタル画像データを生成する。制御部１１は、撮像部１４で生成された画像データを所定の画像ファイルフォ−マットに準拠した画像ファイルにファイル化する。
【００３０】
次に、ステップＳ４２において、制御部１１は、生成された画像データと共有情報Ｋｃとからその画像データの１次検証データを生成する。
【００３１】
次に、ステップＳ４３において、制御部１１は、生成された１次検証データを画像ファイルのヘッダ部に付加し、１次検証データ付き画像ファイルを生成する。また、制御部１１は、１次検証データだけでなく、撮像装置１０の固有ＩＤ情報（製造番号、シリアル番号など）も画像ファイルのヘッダ部に付加する。
【００３２】
次に、ステップＳ４４において、１次検証データ付き画像ファイルをスロット１７に挿入された記憶媒体１３に書き込む。
次に、ステップＳ４５において、制御部１１は、１次検証データ付き画像ファイルを画像検証装置２０に転送する。
【００３３】
本実施の形態の撮像装置１０は、以上の処理手順ステップＳ４１〜ステップＳ４５を実行することにより、１つの画像データを生成するごとに、その画像データの１次検証データを生成し、画像データとその１次検証データと撮像装置１０の固有ＩＤとを１つの画像ファイルにファイル化し、画像検証装置２０に１次検証データ付き画像ファイルを転送する。
【００３４】
次に、画像検証装置２０の処理手順について説明する。なお、図５に示す処理手順は、プログラムメモリ２２のプログラムに従って実行される。また、図５に示す処理手順は、１次検証データ付き画像ファイルが転送されるごとに自動的に実行される。
【００３５】
最初のステップＳ５１において、制御部２１は、１次検証データ付き画像ファイルのヘッダ部から１次検証データを抽出する。
【００３６】
次に、ステップＳ５２において、制御部２１は、１次検証データ付き画像ファイルのヘッダ部から撮像装置１０の固有ＩＤを抽出し、そのファイルのデータ部から画像データを抽出する。そして、制御部２１は、プログラムメモリ２２内の鍵管理テーブルТ１を参照し、抽出された固有ＩＤに対応する共有情報Ｋｃ及び秘密情報Ｋｓを検出する。制御部２１は、抽出された画像データと検出された共有情報Ｋｃとからその画像データの１次検証データを生成する。
【００３７】
次に、ステップＳ５３において、ステップＳ５１で抽出された１次検証データ（撮像装置１０の内部で生成された１次検証データ）と、ステップＳ５２で生成された１次検証データ（画像検証装置２０の内部で生成された１次検証データ）とを比較し、画像データの完全性を検証する。２つの１次検証データの一致が検出された場合、ステップＳ５４に進む。一方、２つの１次検証データの一致が検出されなかった場合、ステップＳ５８に進む。
【００３８】
次に、テップＳ５４において、この場合、制御部２１は、１次検証データ付き画像ファイル内の画像データから２次検証データ（デジタル署名）を生成する。
【００３９】
次に、ステップＳ５５において、制御部２１は、画像ファイルのヘッダ部にある１次検証データを生成された２次検証データに置き換え、２次検証データ付き画像ファイルを生成する。ステップＳ５６において、生成された２次検証データ付き画像ファイルを、インタフェース部２４を通して、撮像装置１０に転送する。
【００４０】
次に、ステップＳ５７において、撮像装置１０は、転送された２次検証データ付き画像ファイルを記憶媒体１３に書き込む。
【００４１】
一方、ステップＳ５３の比較の結果、２つの１次検証データの一致が検出されなくてステップＳ５８に進んだ場合には、制御部２１は、改変ありと判定し、画像データが改変されていることを示すメッセージをユーザに通知する。なお、この場合、制御部２１は、２次検証データの生成を禁止する。
【００４２】
以上の処理手順を実行することにより、画像検証装置２０は、撮像装置１０の演算リソースの性能を大幅に向上させることなく、撮像装置１０で生成された画像データが改変されているか否かを確実に検出し、１次検証データ付き画像ファイルの画像データが撮像装置１０で生成されたものであるか否かを確実に確認することができる。
【００４３】
また、１次検証データ付き画像ファイルの完全性が確認できれば、そのファイルを２次検証データ付き画像ファイル（デジタル署名付き画像ファイル）に変換することもできる。なお、前記の実施の形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【００４４】
（他の実施形態）
前述した実施形態の機能を実現するべく各種のデバイスを動作させるように、前記各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００４５】
また、この場合、前記ソフトウェアのプログラムコード自体が前述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００４６】
また、コンピュータが供給されたプログラムコードを実行することにより、前述の実施形態の機能が実現されるだけでなく、そのプログラムコードがコンピュータにおいて稼働しているＯＳ（オペレーティングシステム）あるいは他のアプリケーションソフト等と共同して前述の実施形態の機能が実現される場合にもかかるプログラムコードは本発明の実施形態に含まれる。
【００４７】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施形態の機能が実現される場合にも本発明に含まれる。
【図面の簡単な説明】
【００４８】
【図１】本実施の形態における撮像装置の主要な構成を説明するブロック図である。
【図２】本実施の形態における画像検証装置の主要な構成を説明するブロック図である。
【図３】本実施の形態における画像検証システムの処理手順を示す図である。
【図４】本実施の形態における画像検証システムの撮像装置の動作を示すフローチャートである。
【図５】本実施の形態における画像検証システムの画像検証装置の動作を示すフローチャートである。
【図６】鍵管理テーブルの一例を示す図である。
【符号の説明】
【００４９】
１０  撮像装置
１１  制御部
１２  プログラムメモリ
１３  記憶媒体
１４  撮像部
１５  内部バス
１６  操作部
１７  スロット
１８  スロット
２０  画像検証装置
２１  制御部
２２  プログラムメモリ
２３  不揮発性メモリ
２４  インタフェース部
２５  内部バス
【図１】
2005348249.tif 000003
【図２】
2005348249.tif 000004
【図３】
2005348249.tif 000005
【図４】
2005348249.tif 000006
【図５】
2005348249.tif 000007
【図６】
2005348249.tif 000008